(57)【要約】【課題】  暖房性能を維持しつつ、暖房装置を開閉窓の窓際をはじめ所望する場所に設置可能であるとともに、使用しない場合には暖房装置を収納してその設置場所を有効利用することのできる出入庫機能付暖房装置および出入庫機能付暖房システムを提供する。【解決手段】  床下または壁内に設けられた器具収納庫２に収納される放熱器５と、前記器具収納庫２内で前記放熱器５に連結されているとともに前記放熱器５を前記器具収納庫２内の収納位置と床上または壁外の使用位置との間で入庫または出庫する器具出入庫手段６とを有する。【選択図】  図２
2013072567.tif 000002
【特許請求の範囲】
【請求項１】
床下または壁内に設けられた器具収納庫に収納される放熱器と、前記器具収納庫内で前記放熱器に連結されているとともに前記放熱器を前記器具収納庫内の収納位置と床上または壁外の使用位置との間で入庫または出庫する器具出入庫手段とを有する出入庫機能付暖房装置。
【請求項２】
前記放熱器の底部には、前記放熱器を出入庫する際に前記器具収納庫の内壁面に摺接して前記放熱器の出入庫動作を案内するガイド部材が設けられている請求項１に記載の出入庫機能付暖房装置。
【請求項３】
前記放熱器の底部には、前記放熱器と前記器具収納庫との間に生じる隙間を覆うための目隠し板が回動自在に設けられており、この目隠し板は、前記放熱器が収納位置に入庫される際に前記放熱器の側面方向に回動されて前記放熱器の側面に沿って収納されるとともに、前記床上または前記壁外の使用位置に出庫される際には前記隙間方向に回動されて前記隙間を覆うように構成されている請求項１または請求項２に記載の出入庫機能付暖房装置。
【請求項４】
前記放熱器の底部の外周面には、前記放熱器と前記器具収納庫との間に生じる隙間より毛足の長い起毛部材が設けられており、前記器具収納庫の内側面には、前記放熱器が収納位置にある場合に前記起毛部材の毛先を収納する第一起毛収納凹部と、前記床上または前記壁外の使用位置にある場合に前記起毛部材の毛先を収納する第二起毛収納凹部とが設けられている請求項１から請求項３のいずれかに記載の出入庫機能付暖房装置。
【請求項５】
前記放熱器と前記器具出入庫手段とは、ヒンジ手段を介して連結されており、このヒンジ手段は、前記放熱器の出庫状態において前記放熱器を横に回動させて倒し、前記器具収納庫の内部を開放するように構成されている請求項１から請求項４のいずれかに記載の出入庫機能付暖房装置。
【請求項６】
床下または壁内に開口されて放熱器を収納可能に設けられた器具収納庫と、
この器具収納庫に収納される放熱器と、
この放熱器に連結されているとともに前記放熱器を前記器具収納庫内の収納位置と床上または壁外の使用位置との間で出入庫する器具出入庫手段と、
前記放熱器に温水または蒸気を供給する熱源供給手段と
を有する出入庫機能付暖房システム。
【発明の詳細な説明】
【技術分野】
【０００１】
本発明は、放熱器を床下または壁内に入庫および出庫することを可能とした出入庫機能付暖房装置および出入庫機能付暖房システムに関するものである。
【背景技術】
【０００２】
建物には、断熱性を高めるために壁内等に断熱材が設けられている。しかし、窓には断熱材を入れることはできないため、窓際の空気は壁等と比べて外気の影響を受け易い場所となっている。そのため、外気温が室内温度と比べて低いときには、窓際の空気は冷やされ、コールドドラフトと呼ばれる冷気の下降流となって室内を流れ、部屋全体を冷やしてしまうという問題があった。
【０００３】
従来、上記コールドドラフトの防止策として、窓際に放熱器を設置し、窓際の空気を暖めることで、冷気とは逆方向の上昇流を発生させる試みが行われてきた。
【０００４】
しかしながら、窓の用途として、バルコニーに繋がる掃き出し窓等、室外との出入口として用いられる開閉窓があり、このような開閉窓の窓際は小さな窓に比べてコールドドラフトの効果が強いにもかかわらず、人の出入りの妨げとなるため放熱器が設置できなかった。また、放熱器を設置した場所には家具等を置くことができず、デットスペースとなっていた。
【０００５】
以上のような問題点に対し、特開２００４−１１６９７４号公報では、掃き出し窓の室内側隣接床面部に溝が設けられ、この溝内に放熱源が設置され、溝は蓋で閉じられ、放熱源の発する熱が蓋を介して上方に伝えられるように成されている掃き出し窓におけるコールドドラフト防止システムが提案されている（特許文献１）。また、前記蓋は、ガラリ状の通気板とすることにより、放熱フィンとしての効果を有することができるとされている。
【先行技術文献】
【特許文献】
【０００６】
【特許文献１】特開２００４−１１６９７４号公報
【発明の概要】
【発明が解決しようとする課題】
【０００７】
しかしながら、特許文献１に記載された発明においては、放熱部の上方の空気を暖めるだけであるため、上昇流が起こりづらいという問題がある。そのため、コールドドラフトの防止効果は低く、暖房効率はあまり高くない。
【０００８】
また、蓋をガラリ状にすると、ゴミが溝に落下し易いという問題がある。落下したゴミを掃除するには、蓋のみならず、放熱源となるパイプ等を外す必要があり、作業が面倒であった。
【０００９】
本発明は、このような問題点を解決するためになされたものであって、暖房性能を維持しつつ、暖房装置を開閉窓の窓際をはじめ所望する場所に設置可能であるとともに、使用しない場合には暖房装置を収納してその設置場所を有効利用することのできる出入庫機能付暖房装置および出入庫機能付暖房システムを提供することを目的としている。
【課題を解決するための手段】
【００１０】
本発明に係る出入庫機能付暖房装置は、床下または壁内に設けられた器具収納庫に収納される放熱器と、前記器具収納庫内で前記放熱器に連結されているとともに前記放熱器を前記器具収納庫内の収納位置と床上または壁外の使用位置との間で入庫または出庫する器具出入庫手段とを有する。
【００１１】
また、本発明における一様態として、前記放熱器の底部には、前記放熱器を出入庫する際に前記器具収納庫の内壁面に摺接して前記放熱器の出入庫動作を案内するガイド部材が設けられていてもよい。
【００１２】
さらに、本発明における一様態として、前記放熱器の底部には、前記放熱器と前記器具収納庫との間に生じる隙間を覆うための目隠し板が回動自在に設けられており、この目隠し板は、前記放熱器が収納位置に入庫される際に前記放熱器の側面方向に回動されて前記放熱器の側面に沿って収納されるとともに、前記床上または前記壁外の使用位置に出庫される際には前記隙間方向に回動されて前記隙間を覆うように構成されていてもよい。
【００１３】
また、本発明における一様態として、前記放熱器の底部の外周面には、前記放熱器と前記器具収納庫との間に生じる隙間より毛足の長い起毛部材が設けられており、前記器具収納庫の内側面には、前記放熱器が収納位置にある場合に前記起毛部材の毛先を収納する第一起毛収納凹部と、前記床上または前記壁外の使用位置にある場合に前記起毛部材の毛先を収納する第二起毛収納凹部とが設けられていてもよい。
【００１４】
さらに、本発明における一様態として、前記放熱器と前記器具出入庫手段とは、ヒンジ手段を介して連結されており、このヒンジ手段は、前記放熱器の出庫状態において前記放熱器を横に回動させて倒し、前記器具収納庫の内部を開放するように構成されていてもよい。
【００１５】
また、本発明に係る出入庫機能付暖房システムは、床下または壁内に開口されて放熱器を収納可能に設けられた器具収納庫と、この器具収納庫に収納される放熱器と、この放熱器に連結されているとともに前記放熱器を前記器具収納庫内の収納位置と床上または壁外の使用位置との間で出入庫する器具出入庫手段と、前記放熱器に温水または蒸気を供給する熱源供給手段とを有する。
【発明の効果】
【００１６】
本発明によれば、開閉窓等の窓際をはじめとして所望する場所に設置可能であるとともに、使用しない場合には暖房装置を収納してその設置場所を有効利用することができる。
【図面の簡単な説明】
【００１７】
【図１】本発明に係る出入庫機能付暖房システムの第一実施形態を示す概略模式図である。
【図２】本発明に係る出入庫機能付暖房装置の第一実施形態における収納位置に入庫させた状態を示す正面縦断面図である。
【図３】本第一実施形態における器具収納庫を示す平面図である。
【図４】図２における４Ａ−４Ａ断面図である。
【図５】本第一実施形態の出入庫機能付暖房装置を使用位置に出庫させた状態を示す正面縦断面図である。
【図６】図５における６Ａ−６Ａ断面図である。
【図７】本第一実施形態における器具出入庫手段および回動力伝達手段を示す平面図である。
【図８】本第一実施形態における出入力機能付暖房装置の放熱器を横に倒した状態を示す側面図である。
【図９】本第一実施形態における放熱器の転倒を防止するロック機能を示す平面図である。
【図１０】本第二実施形態の出入庫機能付暖房装置および器具収納庫の収納位置における状態を示す側面縦断面図である。
【図１１】本第二実施形態における放熱器が収納位置から使用位置に出庫する際の起毛部材の先端を示す一部拡大側面断面図である。
【図１２】本第二実施形態の出入庫機能付暖房装置および器具収納庫の使用位置における状態を示す側面縦断面図である。
【図１３】本第二実施形態における出入力機能付暖房装置の放熱器を横に倒した状態を示す側面図である。
【図１４】本第二実施形態における放熱器が使用位置から収納位置に入庫する際の起毛部材の先端を示す一部拡大側面断面図である。
【発明を実施するための形態】
【００１８】
以下、本発明に係る出入庫機能付暖房装置および出入庫機能付暖房システムの第一実施形態について図面を用いて説明する。図１は、本第一実施形態の出入庫機能付暖房システム１を示す概略模式図である。また、図２は、本第一実施形態の出入庫機能付暖房装置３Ａを示す正面縦断面図である。
【００１９】
本第一実施形態の出入庫機能付暖房システム１は、図１に示すように、床下または壁内に設けられる器具収納庫２と、この器具収納庫２内に収納可能に設けられた暖房機能を備えてなる出入庫機能付暖房装置３Ａと、この出入庫機能付暖房装置３Ａに温水または蒸気を供給する熱源供給手段４とを有する。また、本第一実施形態の出入庫機能付暖房装置３Ａは、図２に示すように、器具収納庫２内から出入庫可能に支持されているとともに暖房機能を備えてなる放熱器５と、前記器具収納庫２から前記放熱器５を入庫または出庫する器具出入庫手段６とを有する。以下、各構成について詳細に説明する。
【００２０】
器具収納庫２は、床または壁の所望位置において放熱器５を収納可能な大きさに形成されている。本第一実施形態では、図１に示すように、バルコニーへと繋がる開閉窓の窓際の床に開口部２１を備えるように設けられている。また、図２および図３に示すように、開口部２１には着脱自在の蓋２２と、この蓋２２を取り外し易くするためのフックを備えた小蓋２３とが設けられている。また、本第一実施形態における器具収納庫２内には、図４に示すように、出入庫機能付暖房装置３Ａを収納する空間とは別に、前記蓋２２を収納する蓋収納部２４が設けられている。なお、蓋収納部２４は、後述する第二実施形態のように、出入庫機能付暖房装置３Ｂを収納する空間内に設けられていてもよい。
【００２１】
出入庫機能付暖房装置３Ａは、放熱器５と器具出入庫手段６とを有しており、図１に示すように、器具収納庫２内に収納されるとともに、熱源供給手段４に連結されている。
【００２２】
なお、本第一実施形態の出入庫機能付暖房システム１における器具収納庫２および出入庫機能付暖房装置３Ａは、一箇所に設置されるものに限定されるものではなく、図示しないが、リビング、ダイニング、寝室等の複数箇所に設置してもよい。
【００２３】
放熱器５は、周囲の空気と熱交換を行うことで室内を暖めるものである。本第一実施形態における放熱器５は、いわゆる温水ラジエータであり、図示しないが、熱源供給手段４から供給される温水を流通させる温水パイプやこの温水パイプの外周に設けられる放熱板等から構成されている。また、本第一実施形態における放熱器５は、図２および図４に示すように、底部５１に器具収納庫２を塞ぐ底板５２が固定されている。
【００２４】
なお、放熱器５は、温水を用いるものに限定されるものではなく、蒸気を用いるものや電気ヒータを用いるものでもよい。また、熱交換効率を高めるための、電動ファン等を備えていてもよい。
【００２５】
器具出入庫手段６は、放熱器５の底板５１に連結されており、その放熱器５を器具収納庫２内の収納位置と床上または壁外の使用位置との間で出入庫するものである。本第一実施形態では、主として、２つのジャッキにより構成されており、図２および図４に示すような収納位置と、図５および図６に示すような使用位置との間を伸縮可能に設けられている。
【００２６】
なお、本第一実施形態におけるジャッキは、いわゆるパンタグラフジャッキであり、左右および上下に対称となる４節リンク機構からなる。ジャッキの下の節６１が、器具収納庫２の底面に固定されているとともに、ジャッキの上の節６２が、放熱器５の底部５１に連結されている。
【００２７】
また、左右の節にはそれぞれ雌ネジが形成された螺進部６３，６３が設けられており、それらの螺進部６３，６３は雄ネジが設けられた回転軸６４により連結されている。この回転軸６４は、正逆方向に回転可能であり、任意の方向に回転されることで左右の節の螺進部６３，６３を中央方向または外側方向に螺進させ、上下の節６１，６２を伸縮させることができる。
【００２８】
また、回転軸６４には、回動力伝達手段６５が接続されている。本第一実施形態における回転力伝達手段６５は、図２および図７に示すように、電動ドリル、レンチやスパナ等により回動可能な断面略六角形の回転頭部６６と、この回転頭部６６と前記回転軸６４とを接続して回転力を伝達するフレキシブルシャフト６７を有する。回転頭部６６は、器具収納庫２内の端部近傍において回転自在に設置されている。
【００２９】
なお、本第一実施形態における回動力伝達手段６５は、上述のとおり、回転頭部６６等により構成されているが、これに限定するものではなく、回転電動モータ等を用いてもよい。
【００３０】
また、本第一実施形態における放熱器５の底部５１には、放熱器５の出入庫を案内するガイド部材７と、使用位置において放熱器５と器具収納庫２との間の隙間を覆う目隠し板８と、放熱器５を横に倒して器具収納庫２を開放するためのヒンジ手段９と、暖房として使用しているときに放熱器５が前記ヒンジ手段９により倒れないようにロックしておくロック手段１０とが設けられている。
【００３１】
ガイド部材７は、湾曲状に形成されており、器具出入庫手段６によって放熱器５を収納位置と使用位置との間で出入庫する際に、器具収納庫２の内壁面に摺接することにより、前記放熱器５の器具収納庫２内における出入庫動作を案内するものである。本第一実施形態では、図２、図４ないし図６に示すように、放熱器５の底板５２の前方および後方において外方向に湾曲された状態で設けられている。
【００３２】
目隠し板８は、放熱器５が出庫されて使用位置にある場合に、前記放熱器５と器具収納庫２との間に生じる隙間を覆うためのものである。本第一実施形態における目隠し板８は、器具収納庫２内の蓋収納部２４上の隙間を覆うため、放熱器５の底板５２の後方側に沿って回動自在に設けられている。
【００３３】
よって、目隠し板８は、放熱器５が器具出入庫２内の収納位置に入庫されているときには、図４に示すように、放熱器５の底部５１を基点に放熱器５の側面方向に回動されて放熱器５の側面に沿って収納されているとともに、放熱器５が床上の使用位置に出庫された際には、図６に示すように、底部５１を基点に隙間方向に回動されて前記放熱器５と器具収納庫２との隙間を覆うようになっている。
【００３４】
ヒンジ手段９は、放熱器５と器具出入庫手段６との連結部に設けられており、前記放熱器５を横に倒すことで、前記放熱器５により塞がれていた器具収納庫２の内部を開放するものである。本第一実施形態におけるヒンジ手段９は、放熱器５の底板５２と２つのジャッキの上の節６２，６２との間にそれぞれ設けられた蝶番９１からなり、図８に示すように、放熱器５を後方側に横倒しするようになっている。これにより器具収納庫２内を掃除しやすくなる。
【００３５】
また、本第一実施形態における放熱器５と器具出入庫手段６との連結部には、上記ヒンジ手段９とともに、前記放熱器５を暖房として使用しているときに前記放熱器５が倒れないように固定するためのロック手段１０が設けられている。
【００３６】
本第一実施形態におけるロック手段１０は、図９に示すように、左右のジャッキの上の節６２，６２に設けられた係止穴１１と、放熱器５の底板５２に設けられた前記係止穴１１に係止させる鉤棒１２とからなる。鉤棒１２は、ツマミ１３を有しており、底板５２の底面側において前記底板５２の長手方向にスライド可能に設けられている。
【００３７】
熱源供給手段４は、放熱器５に温水または蒸気を供給するものであり、前記放熱器５に温水または蒸気を供給可能に接続されている。本第一実施形態における熱源供給手段４は、灯油ボイラーが用いられており、温水が放熱器５を介して循環するようになっている。なお、熱源供給手段４は、特に限定されるものではなく、ガス式のボイラーや電気式のボイラー等から適宜選択されるものである。
【００３８】
なお、複数の出入庫機能付暖房装置３Ａ，３Ａ・・・が設置されている場合、熱源供給手段４は、各出入庫機能付暖房装置３Ａ，３Ａ・・・に熱源を供給するようにしてもよい。また、熱源供給手段４は、室温等に応じて各出入庫機能付暖房装置３Ａ，３Ａ・・・への熱源の供給量を制御できるようにしてもよい。
【００３９】
次に、本第一実施形態の出入庫機能付暖房装置３Ａおよび出入庫機能付暖房システム１における、各構成の作用について説明する。
【００４０】
まず、放熱器５が、図２ないし図４に示すように、収納位置にある場合について説明する。
【００４１】
放熱器５が収納位置にある場合、器具出入庫手段６は上下方向に縮んだ状態である。また、本第一実施形態における器具収納庫２の開口部２１は、蓋２２により閉じられた状態である。よって、器具収納庫２内にゴミ等が入るのを防ぐことができるとともに、蓋２２の上は開放スペースとして確保できるため、通行や他の物を置くこと等も可能となり、設置場所を有効利用できる。
【００４２】
次に、放熱器５を使用位置に上昇させて出庫する場合について説明する。まず、器具収納庫２の開口部２１に設けられている蓋２２を取り外す。本第一実施形態においては、小蓋２３をフックを利用して持ち上げ、手が入る隙間をつくる。前記小蓋２３を取り外すことで隙間に手を入れることができ、容易に蓋２２を外すことができる。そして、取り外された蓋２２は、器具収納庫２内に設けられた蓋収納部２４内に収納することができる。
【００４３】
放熱器５を使用位置まで上昇させて出庫するには、電動ドリル、レンチやスパナ等によって回転力伝達手段６５の回転頭部６６に回転力を与えればよい。付与される回転力はフレキシブルシャフト６７を介して回転軸６４に伝達される。
【００４４】
回転軸６４は、回転力伝達手段６５により伝達された回転力により任意の方向に回転する。回転軸６４が任意の方向に回転することにより、ジャッキの左右の節の螺進部６３，６３は、相互に中央方向に螺進し、それに伴い上下の節６１，６２は上下方向に伸長される。
【００４５】
これにより、図２および図３に示すように、収納位置にあった放熱器５は、ジャッキが上下方向に伸長することで上昇し、図５および図６のように、床上の使用位置まで出庫される。このとき、ガイド部材７が器具収納庫２の内壁面と摺接することにより放熱器５の上昇動作を案内し、上昇時の傾斜を防止して安定的に出庫させられる。
【００４６】
熱源供給手段４は、放熱器５が使用位置に配置されているときに温水を供給する。これにより放熱器５では、温水を熱源として放熱し、周囲の空気を暖めることにより室内の暖房が行われる。
【００４７】
また、放熱器５が使用位置まで上昇すると、前記放熱器５の底部５１に設けられている底板５２によって器具収納庫２の開口部２１を塞ぐため、前記器具収納庫２内へゴミ等が落下するのを防止できる。また、目隠し板８は、放熱器５の使用位置において、底部５１を基点に下方へ回動され、前記放熱器５と器具収納庫２との隙間を覆うことができ、前記器具収納庫２内へのゴミ等が落下するのを防止している。
【００４８】
一方、放熱器５はヒンジ手段９により底板５２とともに横方向に倒すことができる。放熱器５を底板５２とともに横に倒すことにより、器具収納庫２の内部が開放され、器具出入庫手段６が故障した際の修理やメンテナンス、器具収納庫２内を容易に清掃することが可能となる。本第一実施形態では、ロック手段１０である鉤棒１２のツマミ１３を掴んで横にスライドさせることにより、前記鉤棒１２の先端がジャッキの上の節６２，６２に設けられた係止穴１１から外れるため、放熱器５を横方向に倒すことができる。
【００４９】
次に、放熱器５を使用位置から収納位置に下降させて入庫させる場合について説明する。
【００５０】
放熱器５を再び収納位置に降下させて入庫させる場合は、回転力伝達手段６５に対し、前記放熱器５を上昇させた方向とは逆方向の回転を与えることにより、ジャッキの左右の節の螺進部６３，６３が相互に外側方向に螺進し、それに伴い上下の節６１，６２は上下方向に縮小する。
【００５１】
この際、ガイド部材７が器具収納庫２の内壁面と摺接することにより放熱器５が前記器具収納庫２内に収納される動作を案内する。また、目隠し板８は、収納位置において、図２および図４に示すように、放熱器５の側面方向に回動されて折り畳まれる。
【００５２】
放熱器５が収納位置まで下降して入庫された後に、蓋収納部２４に収納されていた蓋２２と小蓋２３により器具収納庫２の開口部２１を閉じる。これにより、再び、器具収納庫２の防塵および設置場所の有効利用が可能となる。
【００５３】
以上のような本第一実施形態の出入庫機能付暖房装置３Ａおよび出入庫機能付暖房システム１によれば、以下の効果を奏することができる。
１．従来の暖房装置における暖房性能を維持しつつ、放熱器５等を所望する場所に設置することができる。
２．特に、窓際に設置できるためコールドドラフトの防止効果が期待できる。
３．夏季等において暖房を使用しないときには、放熱器５を器具収納庫２内に収納することにより設置場所を有効利用することができる。
【００５４】
次に、本発明に係る出入庫機能付暖房装置および出入庫機能付暖房システムの第二実施形態について図面を用いて説明する。なお、本第二実施形態のうち、前述した第一実施形態の構成と同一若しくは相当する構成については同一の符号を付して再度の説明を省略する。
【００５５】
図１に示すように、本第二実施形態の出入庫機能付暖房システム１は、第一実施形態と同様に、器具収納庫２と、本第二実施形態の出入庫機能付暖房装置３Ｂと、熱源供給手段４とを有する。また、本第二実施形態の出入庫機能付暖房装置３Ｂは、図１０に示すように、放熱器５と、器具出入庫手段６とを有するとともに、放熱器５の底部５１の外周面には、前記放熱器５と前記器具収納庫２との間に生じる隙間より毛足の長い起毛部材１４が設けられている。以下、各構成について詳細に説明する。
【００５６】
本第二実施形態における器具収納庫２は、図１０に示すように、開口部２１、蓋２２、小蓋２３および蓋収納部２４とともに、第一起毛収納凹部２５、第二起毛収納凹部２６および摺接凸部２７を備えている。
【００５７】
第一起毛収納凹部２５は、前記放熱器５が収納位置にある場合に前記起毛部材１４の毛先を収納するとともに、前記放熱器５が収納位置から使用位置に出庫される際に、前記起毛部材１４の毛先が前記器具収納庫２の内側面に沿って進行方向と逆方向を向くように前記毛先の方向を案内するものである。本第二実施形態では、前記放熱器５が収納位置における前記起毛部材１４が前記器具収納庫２の内側面と接する位置に、前記起毛部材１４の毛先を収納可能な縦断面略凹状に形成されている。
【００５８】
第二起毛収納凹部２６は、前記放熱器５が使用位置にある場合に前記起毛部材１４の毛先を収納するとともに、前記放熱器５が使用位置から収納位置に入庫される際に、前記起毛部材１４の毛先が前記器具収納庫２の内側面に沿って進行方向と逆方向を向くように前記毛先の方向を案内するものである。本第二実施形態では、前記開口部２１の前記蓋２２を納める切り欠き部分が第二起毛収納凹部２６を兼ねている。
【００５９】
また、摺接凸部２７は、前記放熱器５が使用位置にある場合にガイド部材７と摺接することで、前記放熱器５を使用位置で固定するものであり、前記器具収納庫２の内側面の開口部２１近傍に略凸状に設けられている。
【００６０】
さらに、本第二実施形態における蓋収納部２４は、出入庫機能付暖房装置３Ｂを収納する空間内に設けられている。
【００６１】
本第二実施形態における出入庫機能付暖房装置３Ｂは、放熱器５と器具出入庫手段６とを有している。また、放熱器５の底部５１には、器具収納庫２を塞ぐ底板５２が固定されている。さらに、第二実施形態における器具出入庫手段６は、第一実施形態と同様に、ジャッキからなり、ジャッキの下の節６１が、器具収納庫２の底面に固定されているとともに、ジャッキの上の節６２が、放熱器５の底部５１に連結されている。
【００６２】
器具出入庫手段６の左右の節６１，６２にはそれぞれ雌ネジが形成された螺進部６３，６３が設けられており、それらの螺進部６３，６３は雄ネジが設けられた回転軸６４により連結されている。また、回転軸６４には、回動力伝達手段６５が接続されている。回転力伝達手段６５は、回転頭部６６と、フレキシブルシャフト６７とを有する。
【００６３】
また、本第二実施形態における放熱器５の底部５１には、放熱器５の出入庫を案内するガイド部材７と、放熱器５を横に倒して器具収納庫２を開放するためのヒンジ手段９と、放熱器５が倒れないようにロックしておくロック手段１０ととともに、起毛部材１４が設けられている。
【００６４】
本第二実施形態における起毛部材１４は、放熱器５の底部５１に設けられたガイド部材７の上端側の外周縁に沿って、毛先が外側に向くように設けられている。また、起毛部材１４の毛足は、前記放熱器５と前記器具収納庫２との間に生じる隙間より長く形成されている。
【００６５】
なお、起毛部材を設ける場所は、ガイド部材７の上端側の外周縁に限定されるものではなく、放熱器５の底板５１等に設けてもよい。
【００６６】
また、本第二実施形態におけるロック手段１０は、第一実施形態と同様に、係止穴１１と、鉤棒１２とを有している。
【００６７】
次に、本第二実施形態の出入庫機能付暖房装置３Ｂおよび出入庫機能付暖房システム１における、各構成の作用について説明する。
【００６８】
図１０に示すように、本第二実施形態において、放熱器５が収納位置にある場合、器具出入庫手段６は上下方向に縮んだ状態にある。また、器具収納庫２の開口部２１は、蓋２２により閉じられた状態にある。さらに、起毛部材１４は、器具収納庫２の内側面に設けられている第一起毛収納凹部２５内に収納されている。
【００６９】
次に、本第二実施形態において放熱器５を使用位置に上昇させて出庫する場合には、まず、器具収納庫２の開口部２１に設けられている小蓋２３を開けてから蓋２２を取り外す。そして、回転力伝達手段６５の回転頭部６６に回転力を与え、放熱器５を使用位置まで上昇させて出庫させる。
【００７０】
このとき、起毛部材１４の毛先は、図１１に示すように、器具収納庫２の内側面に沿って進行方向とは逆方向へ向くように屈曲される。そして、使用位置に出庫された場合には、図１２に示すように、第二起毛収納凹部２６内に収納され、起毛部材１４の毛先は真っ直ぐ伸びた状態になる。
【００７１】
使用位置における起毛部材１４は、放熱器５と器具収納庫２との間に生じる隙間を覆い、前記器具収納庫２内へのゴミ等が落下するのを防止している。
【００７２】
また、本第二実施形態におけるガイド部材７は、器具収納庫２の内壁面に設けられた摺接凸部２７と摺接することで、放熱器５を使用位置で固定することができる。
【００７３】
さらに、本第二実施形態における蓋２２は、器具収納庫２内の出入庫機能付暖房装置３Ｂを収納する空間内に設けられた蓋収納部２４内に収納される。具体的には、図１３に示すように、放熱器５をヒンジ手段９により底板５２とともに横方向に倒すことにより、器具収納庫２の内部を開放して、蓋収納部２４に蓋２２を収納する。
【００７４】
放熱器５を再び収納位置に降下させて入庫させる場合は、器具収納庫２内の蓋２２を取り出し、回転力伝達手段６５に対し、前記放熱器５を上昇させた方向とは逆方向の回転を与えることで行われる。
【００７５】
この際、起毛部材１４は、図１４に示すように、器具収納庫２の内側面に沿って進行方向とは逆方向へ向くように屈曲される。そして、使用位置に出庫された場合には、図１０に示すように、第一起毛収納凹部２５内に収納され、起毛部材１４の先端は真っ直ぐ伸びた状態になる。
【００７６】
以上のような本第二実施形態の出入庫機能付暖房装置３Ｂおよび出入庫機能付暖房システム１によれば、第一実施形態における効果とともに、以下の効果を得ることができる。
１．起毛部材１４により器具収納庫２内へのゴミ等が落下するのを防止することができる。
２．第一起毛収納凹部２５および第二起毛収納凹部２６は、起毛部材１４が器具収納庫２の内側面に沿って屈曲された毛先がそのまま上方向または下方向に癖がついてしまうのを防止することができる、また、前記起毛部材１４の毛先が前記器具収納庫２の内側面に沿って進行方向と逆方向を向くように前記毛先の方向を案内するため、毛先が進行方向に対して逆立って放熱器５の出入庫の際に抵抗となるのを防止することができる。
３．蓋２２を器具収納庫２内に収納することにより、器具収納庫２を小さくすることができるため、出入庫機能付暖房装置３Ｂの設置場所の自由度を増すことができる。
４．摺接凸部２７を設けることにより、ガイド部材７が摺動する区間を短くすることで、放熱器５の出入庫の際の抵抗を少なくすることができる。
【００７７】
なお、本発明に係る出入庫機能付暖房装置３Ａ，３Ｂおよび出入庫機能付暖房システム１は、前述した実施形態に限定されるものではなく、適宜変更することができる。
【００７８】
例えば、器具出入庫手段６は、ねじ式のジャッキに限定されるものではなく、油圧式、空気式を採用してもよい。
【符号の説明】
【００７９】
１  出入庫機能付暖房システム
２  器具収納庫
３Ａ，３Ｂ  出入機能付暖房装置
４  熱源供給手段
５  放熱器
６  器具出入庫手段
７  ガイド部材
８  目隠し板
９  ヒンジ手段
１０  ロック手段
１１  係止穴
１２  鉤棒
１３  ツマミ
１４  起毛部材
２１  開口部
２２  蓋
２３  小蓋
２４  蓋収納部
２５  第一起毛収納凹部
２６  第二起毛収納凹部
２７  摺接凸部
５１  底部
５２  底板
６１  ジャッキの下の節
６２  ジャッキの上の節
６３  螺進部
６４  回転軸
６５  回動力伝達手段
６６  回転頭部
６７  フレキシブルシャフト
９１  蝶番
【図１】
2013072567.tif 000003
【図２】
2013072567.tif 000004
【図３】
2013072567.tif 000005
【図４】
2013072567.tif 000006
【図５】
2013072567.tif 000007
【図６】
2013072567.tif 000008
【図７】
2013072567.tif 000009
【図８】
2013072567.tif 000010
【図９】
2013072567.tif 000011
【図１０】
2013072567.tif 000012
【図１１】
2013072567.tif 000013
【図１２】
2013072567.tif 000014
【図１３】
2013072567.tif 000015
【図１４】
2013072567.tif 000016